(57)【要約】【課題】  螺旋針金によるゆで卵の切り刃の作成が簡単な作業で可能なゆで卵切り刃の提供。【解決手段】  螺旋針金の張り回しの始点と終点に針金を挟みつける間隔のスリットを有する支持部を設け、始点と終点の間の中間部分の対向側の針金の張り回しの回折箇所に張り回される螺旋針金を承ける支持体を所定の間隔で設けたゆで卵切り刃。【選択図】図１
0003167625.tif 000002
【実用新案登録請求の範囲】
【請求項１】
螺旋針金を張り回したゆで卵切り刃であって螺旋針金の張り回しの始点と終点に針金を挟みつける間隔のスリットを有する支持部を設け、始点と終点の間の中間部分の対向側の針金の張り回しの回折箇所に張り回される螺旋針金を承ける支持体を所定の間隔で設けたゆで卵切り刃。
【請求項２】
始点と終点の螺旋針金を挟みつけるスリットを形成する支持部の始点及び終点の側のコーナー部をアール付した請求項１のゆで卵切り刃。
【考案の詳細な説明】
【技術分野】
【０００１】  本考案は、ゆで卵切り刃に関し、より詳しくは螺旋針金を張り回したゆで卵切り刃に関する。
【背景技術】
【０００２】  台所用器具の一種のゆで卵切り器において金属製の細い線材即ち針金を例えば並行状に巻きまわしてゆで卵切り刃としてゆで卵をスライスする或いはみじん切りにするものがいくつか提案されている。【０００３】  これらのゆで卵切り器においては切り刃である針金に直線状の針金或いは波形針金が用いられており、それらの線材は何れも枠体に別体の取付け金具を取り付けてその金具の爪を折り曲げては針金を固定して順次針金を張り回してゆくものが主流である。【０００４】  上記以外の取り付け方法をとっているものまたその他の何れの取り付け方法をとっているものにおいても針金は切り刃機能を持つものであるから緊張した状態に取り付けなければならず取り付けの作業は機械的な操作、作業が必要となり、比較的身近で簡単な器具であるにもかかわらず必ずしも容易でないことが推定される。【０００５】  また、何らかの事由により針金が外れた場合或いは人の手によって外した場合は再度張り回して再生させることは不可能である。
しかしゆで卵切り器は身近で簡単な用具であるからこそそれを作る上においても出来るだけ簡単な作業で容易に作ることが出来ることが好ましい。
【先行技術文献】
【０００６】
【特許文献１】特開２００３−２５１５９１号公報
【特許文献２】特開２００３−２６６３７３号公報
【考案の概要】
【考案が解決しようとする課題】
【０００７】  本考案はこのような背景に鑑み、簡単作業で螺旋針金を張り回してゆで卵の切り刃を作ることが出来る新しい構造のゆで卵切り刃を提供する。
【課題を解決するための手段】
【０００８】  本考案のゆで卵切り刃は螺旋針金を張り回したゆで卵切り刃であって螺旋針金の張り回しの始点と終点に針金を挟みつける間隔のスリットを有する支持部を設け、始点と終点の間の中間部分の対向側の針金の張り回しの回折箇所に張り回される螺旋針金を承ける支持体を所定の間隔で設けたものである。【０００９】  始点及び終点のスリットによって、螺旋針金の螺旋形状と協働して張り回される螺旋針金が強固に固定支持される。
本考案においては始点及び終点の螺旋針金を挟みつける間隔のスリットを形成する支持部の始点及び終点の側のコーナー部はアール付けされていることが好ましい。【００１０】  始点、終点共に螺旋針金は先端が遊離状態であるので、始点では螺旋針金の張り回しが確実に行なわれるためにより強固に支持される必要があり、終点も一旦張り回された螺旋針金が容易に外れることのないようにより強固に支持される必要がある。【００１１】  上記のように本考案においては始点及び終点のスリットによって螺旋針金が固定されることになるので、スリットだけでも螺旋針金の螺旋形状と協働して螺旋針金は固定されるが、始点及び終点の支持体の外側コーナー部がアール付されていることによって螺旋針金の螺旋形状とが協働してより強固に螺旋針金が固定できるものである。【００１２】  即ち、そのように支持体が形成されていることにより針金が螺旋針金であることとあいまって一旦スリットに螺旋針金を挿入すると螺旋針金の螺旋形状と支持体のアール形状により螺旋針金がスリットに嵌め込まれた位置で固定されて螺旋針金の長手方向に螺旋針金が滑り動くことがなく、螺旋針金を張り回すときにもスリットに順次螺旋針金を引っ張りながら挿入していくことにより緊張状態で切り刃を容易に形成することが出来る。
螺旋針金の巻きまわし部の針金の張り回しの始点と終点の針金を挟みつけるスリットの間隔は針金の径とほぼ同じ程度でよく、全く同じでなくてもよい。【００１３】  螺旋針金はスリットによる挟み付けの力だけで固定されるわけではなく支持体との協働により固定されるものであるので、スリットを形成する素材によっては弾力性があるものもあり得、その場合には螺旋針金はスリットに充分挟み込めるのでスリットの間隔は螺旋針金の径より多少せまくても螺旋針金を挟み込むことが出来るし、弾力性のない素材のものであってスリットの幅が多少広くても螺旋針金の螺旋形状と支持体との協働によって螺旋針金は固定可能であるので、スリットの間隔が固定的な間隔であってもある程度の径の異なる螺旋針金に適用できるものである。【００１４】  ゆで卵切り刃としての螺旋針金を張り回す支持体などを有する一般的には枠体と称すべきもの、本考案においてはゆで卵切り刃本体と称するものは金属製であってもプラスチック製であってもよい。
【考案の効果】
【００１５】  本考案の螺旋針金による切り刃は螺旋針金を支持する特定の構成を有するものであるので、螺旋針金の始点と終点即ち両端には始点、終点として機能する特別な加工を施すことなく切り離しただけの螺旋針金を用いて人の手による作業だけで簡単容易にゆで卵切り刃を形成することが出来、さらに必要により張替え、張りなおしを容易に行える。
【図面の簡単な説明】
【００１６】
【図１】  本考案のゆで卵切り刃の斜視図である。
【図２】  本考案のゆで卵切り刃の平面図である。
【考案を実施するための形態】
【実施例１】
【００１７】  図１は本考案のゆで卵切り刃の斜視図、図２はゆで卵切り刃の平面図である。
図において１は螺旋針金の切り刃、２はゆで卵切り刃本体、３は外側周壁、４は内側周壁、５は螺旋針金の張り回しの始点及び終点の支持体、６は支持体５と別の支持体とにより設けられたスリット、７は螺旋針金１の支持体であり、Ａは螺旋針金の始点のスリット、Ｂは同じく終点のスリットである。【００１８】  ゆで卵切り刃１を張り回すゆで卵切り刃本体はポリプロピレン製である。
切り刃１を張り回す本体２には本体を形成する外側の突条３に並行に内側の突条４が周設してあり、この突条４に張り回される螺旋針金を支持する支持体５、７、その他の支持体が一体的に突設してある。【００１９】  支持体７は張り回される螺旋針金の平行間隔の幅にしてあり、支持体７と支持体７の相互の間隔も同様の螺旋針金の平行間隔の幅としてある。それにより張り回される螺旋針金は一定間隔をあけた平行状に張り回された刃となる。
この実施例においては支持体７に隣接して別の支持体が突設してあり、その別の支持体とで螺旋針金が通るスリット６が形成されている。【００２０】  Ａは針金の始点のスリット、Ｂは同じく終点のスリットである。
実際の張り回しにおいては始点と終点とは逆になってもよい。
支持体７の外側の両コーナー部分はアール付けされている。螺旋針金を巻きまわした場合に螺旋針金の曲折旋回部分がそのアールを付けされたところの輪郭に沿うことになるので螺旋針金と支持体の形状の協働により螺旋針金がより確実に支持される。【００２１】  支持体５は螺旋針金の張り回しの始点及び終点のスリットＡ及びＢを形成するための支持体である。この支持体５は螺旋針金１の張り回しから見てスリットＡ及びＢの外側に位置する支持体であり、この支持体５は水平方向の断面形状が半円形としてあり（即ちコーナーがアール付けしてあり、）これにより螺旋針金が強固に支持されることになる。
【符号の説明】
【００２２】１  ゆで卵切り刃
２  ゆで卵切り刃本体
３  外側周壁
４  内側周壁
５  支持体
６  スリット
７  支持体
Ａ  スリット
Ｂ  スリット
【図１】
0003167625.tif 000003
【図２】
0003167625.tif 000004